(57)【要約】【課題】日常的大気汚染の中での呼吸、花粉飛散の外気と室内での呼吸と粘膜付着、通常的有害ガス発生職場での呼吸、火災避難時の一酸化炭素等の吸入、船舶密閉タンクの酸素不足、等数えればきりがない危険な現状社会での最善策は、気安めのマスクか、宇宙服のような行動制約を強いられる重厚防護服しか対応方法が無い。【解決手段】現在の生活環境での汚染空気を呼吸している現状を、逆に、汚染大気の中で人間個人を新鮮空気で汚染大気から隔離する為に、日常行動に影響を与えない装着で、汚染大気から清浄空気によって顔等を隔離し、汚染大気や花粉から身を守るものである。【選択図】図１
2009061233.tif 000002
【特許請求の範囲】
【請求項１】
頭顔面装身具（１）の、サンバイザ−（２）、つば付き帽子（３）、つば付きヘルメット（４）等の、つば部（５）は、上面板（６）と、つば下面板（７）で構成される、つば内部空間（８）を有している。
つば上面板（６）表面には、太陽光発電板（９）を一定面積装着して、つば上部面板（６）の太陽光発電板（９）装着の発電板間隙空間（１０）には、大気吸入開口網（１１）が単数個所或は複数個所で開口装着される。
つば内部空間（８）には、空間仕切り壁（１２）によって、大気吸引独立経路（１３）装設し、空気濾過装置（１４）が装着されるが、大気吸入開口網（１１）と共に、つば上面板（６）から脱着可能とし、空気濾過材（１４）が容易に清掃或は交換可能とする。
つば内部空間（８）の大気吸引独立経路（１３）内には、単数又は複数の大気吸引ファン（１５）が装着され、ファン吸引口（１６）は空気濾過装置（１４）に接し、ファン吐出口（１７）は、つば内部空間（８）内に放散される。
つば下面板（７）の顔面近接部位には、単数又は複数の、濾過空気放散開口部（１８）が設けられて、顔面に向かって供給空気（１８）が放散される。
つば下面板（７）の開口の濾過空気放散開口部（１９）には、放散空気調整枠（２０）を装設する。
つば部（５）先端に、必要度に応じて脱着可能な、透明樹脂曲面板（２１）を装着して自然大気風圧を防除した、新鮮空気の顔面供給装置。
【請求項２】
雨天時時で太陽光発電板（９）での発電不能時用で、或は発電力不足の場合に供する、バッテリ−（２２）をつば内部空間（８）に併設した、請求項１記載の、新鮮空気の顔面供給装置。
【請求項３】
つば下面板（７）外部に装着された、供給空気放散管（２３）の一端に、空気加圧貯留缶（２４）の、流量制御弁（２５）付きの柔軟送気管（２６）を挿入して結続した、請求項１乃至２記載の、新鮮空気の顔面供給装置。
【請求項４】
つば下面板（７）に装着する供給空気放散管（２３）と種々品種の装着テ−プに加えて、空気濾過装置（１４）大気吸引ファン（１５）、バッテリ−（２２）、流量調整弁（２５）、柔軟送気管（２６）、透明樹脂曲面板（２１）、それぞれの全部又は最低必要不可欠器具を、空気供給ユニット（２７）としてポーターブルに構成した、請求項１乃至３記載の、新鮮空気の顔面供給装置。
【請求項５】
既存設備の空気圧縮機送気管（２８）からの供給空気を、一定長さの柔軟送気管（２６）で、つば部（５）に装着の供給空気放散管（２３）に結続して空気供給し、一定距離移動が可能な、請求項１乃至２記載の、新鮮空気の顔面供給装置。
【請求項６】
供給空気（１８）が、加湿空気（２９）或は乾燥空気（３０）の、請求項１乃至５記載の、新鮮空気の顔面供給装置。
【請求項７】
供給空気（１８）が、高酸素濃度空気（３１）或は低酸素酸素空気（３２）の、請求項１乃至６記載の、新鮮空気の顔面供給装置。
【請求項８】
供給空気（１８）が、加温空気（３３）或は冷却空気（３４）の、請求項１乃至６記載の、新鮮空気の顔面供給装置。
【請求項９】
供給空気（１８）が、ペルチェ素子電気回路（３５）による空気冷暖電気制御（３６）により加温又は冷却供給する、請求項１乃至８記載の、新鮮空気の顔面供給装置。
【請求項１０】
供給空気（１８）に、植物エッセンス等の無害消臭剤（３７）を添加した、請求項１乃至９記載の、新鮮空気の顔面供給装置。
【発明の詳細な説明】
【技術分野】
【０００１】  大気中の有害飛散物質の呼吸吸引、植物による気中飛散花粉によるアレルギー、職業的粉塵及び有害ガス作業環境での呼吸吸引、建材等によるシックハウス症候群、高地登山等による酸欠症状、数えれば切りがない大気吸引による各種要因の疾病予防と症状改善策、患者自身の肉体的及び精神的負担の軽減、同時に健常者の作業労働環境及び日常の疾病予防策の分野である。【０００２】  同時に、四季における極寒冷地環境生活での顔面凍傷保護の環境における自己保護策にも貢献する分野である。
【背景技術】
【０００３】  現在の人間社会で、有害物質及びアレルギ−物質の大気中飛散度は、心肺機能に異状がある人々、或は生理的にアレルギ−体質の人々には過極環境下にあり、外出はおろか、居住区内においても、健常者では想定し得ない苦労を強いられており、防毒マスクに匹敵する程の眼鏡や保護マスクを使用せざるを得ず、老若男女で、身体的にもさる事ながら、精神的には計り知れない、社会生活上で大きな負担となっている。【０００４】  同時に、通常生活や労働環境で、自然現象とは言っても黄砂の飛散や、現代社会の落とし子とも言える自動車や工場排気ガス等による喘息等の身体異常の発生は、発展途上国の経済特区をはじめ、車両等の廃棄ガス及び工場廃棄ガスで、首都でさえ社会的問題と成っている事は、文明社会でも居住環境によってはいかようにもしがたい問題である。【０００５】  このような社会で、呼吸器官の疾病を防止すべく、通常のガ−ゼマスクを着用しているが、効果を上げるには呼吸抵抗すらあるマスクでは、病弱者には呼吸負担共成っている。【０００６】  昨今、滅菌ガ−ゼ付き、或は花粉吸入防止のマスクも出回って、花粉アレルギ−症防止の為に鼻や喉粘膜保護のマスク着用者が増えており、明らかに花粉症保持宣言の印しを付けて戸外活動をする事の精神的負担に加えて、目鼻の炎症で鼻水を拭きながら、涙も拭き拭き歩いている人々の心情は、推して知るべしであり、現代医学界でも解消する研究をしているものの、食餌療法や薬品服用では解決の兆しが全く無い。【０００７】
【特許文献】
【非特許文献】
【発明の開示】
【０００８】  従来の対処方法としては、大気吸引の関節療法的なマスクの部類しかなく、マスクメ−カ−は雨後の筍的に無数に存在し、マスク本体の濾過性、滅菌性にのみ充填をおいているのが現状で、本発明に類する文献は見当たらない。
【発明が解決しようとする課題】
【０００９】  地球上の各国の発展過程で、大気放出される都市部での工業生産過程及び自動車等の排気ガス、温暖化を含めた地球風流経路変遷、国際間での砂漠化による黄砂被害、及び火山降灰、これらの人為的或は自然的な環境変化は、生命維持の為の大気酸素呼吸の動物、採りに人間には、千差万別の個人体質によって、健康管理の影響度も変わり、その為に既に各種疾病を発症している人々は当然のこと、その予防処置は、各種マスクでは、健康維持に貢献することは困難名、大きな課題である。
【００１０】  人為的な大気汚染は、先進国及び発展途上国といえども同様で、大気放散の有害物質は如何様にもしがたく、この汚染空気の吸入を阻止して新鮮な空気を吸入、又必要あれば数億年前の空気酸素濃度２５％のそれに近い新鮮空気をも、日常行動を疎外せずに呼吸出来ればこの上ない朗報であろう。
【００１１】  当然ながら、昨今、生活態様の変化によって増加した各種のアレルギ−発症は、その要因物質から逃避すればよい事ながら、そうすれば日常生活態様の変化と職務遂行不能をも来す為になり、やむを得ず薬品の服用、点眼、吸入、或は塗布に終始し、その上、重厚なマスクや眼球隔離眼鏡の着用も強いられる現状は、肉体的もさる事ながら精神的な負担の重圧に耐えざれを得ない現状の要因からの回避が大きな課題である。
【００１２】  同時に、人間の生命維持における空気中の２０％弱しかない酸素を人間が汚染し、汚染空気を人間が吸入し、その人間が種々の身体異常を訴えて、症状緩和の為の手段として病院シェルタ−や高価な商品を購入使用するしかないが、一般人でも日常生活に影響を来さないような、如何なる行動中でも、この汚染大気環境の中で常時新鮮空気吸引を可能にするしかない。
【課題を解決するための手段】
【００１３】  これらの課題を解決する為には、大気汚染改善が最善策であるが、気の遠くなるような期間経由後では現存人類の残存生命年数から見れば意味が無く、唯一の方法は、現状の汚染或は飛散の大気環境から、人体を新鮮空気のエアーカーテンによって、隔離するしかない。
【００１４】  なぜならが、地球全体を宇宙から隔離して、しかも地球は勿論一都市でさえ、大気を入れ替えるというような技はあるはずがない。
【００１５】  しかし、このままの汚染大気や飛散物の中での生活継続は、人類にとって、ましてや種々疾病発症の人間個人にとっては肉体的苦痛を遥かに上回る精神的に悲劇である。
【００１６】  そこで、人類の、個人個人の段階で、健常者から疾病者迄、日常業務遂行者から運動選手、微細物性放散環境の勤労者迄、現在の生活就労環境を変えずに、汚染大気或は飛散物を回避せざるを得ないと想定する。
【００１７】  もう一歩前進して、建材含有成分での疾病発病者、或は各種の大気飛散物質によるアレルギ−発症者でも、現状の制約された生活環境を従来の生活態様に戻す為にも、汚染空気の追放が経済的にも不可能である限り、個人個人の身体、特に粘膜暴露の顔面全体を、新鮮空気で覆い、結果的には汚染空気を隔離したも同様である。
【００１８】  大気からの回避、それも、マスクもしなければ眼鏡も着用しない状態で、それ以上の効果を発揮させる方法は、只一つ、視力や聴力或は言語の明朗さも代わらず、他人も意識し得ない現実の方法としては、顔面を新鮮空気放散幕で大気から隔離する方法しか無い。
【００１９】  この供給空気は、いくつかの供給方法があるが、顔面に近い装身具としては、サンバイザ−及びつば付き帽子、或は粉塵飛散や有害物飛散の工事現場では必需品のヘルメット、にコンパクトに収納して汚染大気を濾過し、顔面を濾過空気流エアーカーテンで隔離吸引するものも可能である。
【００２０】  同時に、圧縮空気缶、液化空気缶、或は工場作業場では圧縮空気を軟質送気管でジョイントして額頭部から顔面に供給空気を減圧して放散し、目、鼻、喉の粘膜を汚染大気から隔離して新鮮な供給空気を鼻や口から吸入することが最善である。
【００２１】  又、狭い範囲での作業による有害ガス吸入防止では、別途の空気供給装置から、軟質チュ−ブで額頭部から顔面に、新鮮空気を減圧して放散して健康被害を防止すればよく、労働への影響は全く無い。
【００２２】  額頭部から下に向けて放散する供給空気の装着方法は種々あり、屋内や、夏期の屋外では日よけのサンバイザ−のつば部、或は専用頭部位バンド、つば付きの帽子、冬期には防寒帽、工事現場ではヘルメット等々、如何様にも装着は可能である。
【００２３】  現在市販品の、顔全面を覆うようなマスクや重厚な眼鏡の装着は、特に花粉症の女性当該者にとっては、対外的に自己花粉症宣言的スタイルで精神負担の面が大きく、本発明のサンバイザ−或はつば付きの帽子の装着によって、逆にスタイリッシュ的感覚になり、思春期的年齢によっては、逆に濾過空気放散のサンバイザ−や帽子、或はヘア−バンド的はち巻きのデザイン選択の興味まで沸きだし、従来外出時の精神的落ち込みも解消されることは間違いない。
【発明の効果】
【００２４】  花粉症、及び気中浮遊薬品アレルギ−等々、身体的苦痛、及び精神的負担は健常者にはわからず、特に精神的な面においは、その派生的ウツ病移行の危険性をも波乱でいつ事実を理解せずに、重厚な物理的眼鏡やマスクでは絶対的に解消せず、本発明の着用により、大きな負担を解消することになるが、以下その効果を列挙する。
【００２５】１、アレルギ−体質者は、従来の如何なる重厚なマスクを着用しても、絶対的効果は期待できず、装着しないよりも装着した方が良い程度であるが、本発明によって症状が停止すると同時に、夏はサンバイザ−、冬はつば付き帽子で、デザイン迄考える解放感さえ生まれる。
【００２６】２、水中眼鏡にも匹敵するアレルギ−症対応眼鏡は、社会的立場で着用不能もあり、又、その為に絶えず涙や鼻水を拭く煩雑さと、面会者対応での各種防衛行動が、本発明着用で誤解発生等が解消した。
【００２７】３、大気アレルギ−物質吸入過程での薬品服用は、特効薬的な薬品は副作用もあり、効果が遅々として進まないが、本発明着用で、症状消滅は歴然とした。
【００２８】４、業務という最重要課題の発想能力が、アレルギ−発症時の思考力減退が解消する。
【００２９】５、夏期のサンバイザ−使用経験が人も、購入に当たってデザインやファッション気質への関心が想像以上に高まった。
【００３０】６、東南アジアで首都での大気汚染状況は想像を絶するもので、自動車或は工場排気で、近距離景観でも目視不能な霞み状態の中、市街地を市民全員がマスク着用で通行している状況で、グロ−バルに人種を越えて、本発明の必要性は無限である。
【００３１】７、同様な環境下の先進国を含めた各工場、例えば指輪やネックレス製造工場の一角で行われている金属溶着作業に使用する有害ガス発生の顔面側近での手仕事は、いくら局所排気設備があっても作業の特質から強力排気は出来ず、マスク装着では有害ガス吸入は阻止できず、経年累積での身体異常発生を否定は出来ないが、本発明着用では顔面を新鮮空気で追われているので、薬品臭気さえも感じられない。
【００３２】９、同時に新鮮空気を送気する段階に、電子回路による軽量小型の簡便なペルチェ素子利用の空気冷温装置で、温熱或は冷却した新鮮空気を供給すれば、南極の極寒環境の顔面保護、赤道直下の屋外作業での顔面清涼、寒暖による体力減退にも対応可能である。
【００３３】１０、医療用としては、重症患者以外では、危険域をはずして酸素濃度をあげ、新鮮酸素放散吸入での治療効果も期待でき、逆に、過酸素呼吸症状の場合には、酸素吸着剤等によって減酸空気供給も可能である。
【００３４】  地球上の空気乾燥地域では、空気濾過装置の加湿により、通過空気で蒸散加湿空気となり、呼吸器系の粘膜保護にもなり、顔面皮膚の加湿にも効果があり、乾燥空気の供給では雨中長時間作業ではの顔面発汗による視野狭窄要因の事故回避も出来る。
【００３５】１１、最も大切な効果は、人間の、社会的行動の精神的、肉体的な制約無しで、行動が可能であり、時には、本発明を装着してゴルフ程度の運動をも可能にし、登山や陸上練習による酸素供給には、酸素濃度変更で、平地にいながら高地対応トレ−ニングから、高地での体力維持の為の高酸素濃度の新鮮空気供給も可能である。
【発明の実施する為の最良の形態】
【００３６】  「図１」は、頭部顔面装身具（１）のサンバイザ−（２）のつば部（５）を、つば上面板（６）とつば下面板（７）によってつば内部空間（８）を構成する。
【００３７】  このつば部（５）の構成は、つば付き帽子、つば付きヘルメット等々の帽子類も同様である。
【００３８】  つば上面板（６）の表面には、一部面積の発電板間隙空間（９）を除いて太陽光発電板（１０）が一定面積で固着されている。
【００３９】  この、発電板間隙空間（９）は、大気吸入開口網（１１）が装設される為の空間であるが、「図１」の様に、つば上面板（６）の表面に開口する場合とは別に、太陽光発電板（１０）の装着数を増す為に、「図２」の様に、つば上面板（６）とつば下面板（７）両者の前部結合部の、つば全周或は一部に、一定厚み幅をもたせて、大気吸入開口網（１１）を設置する方法を採ったが、つば下面板（７）の一部に大気吸入開口網（１１）を設置して例もある。
【００４０】  大気吸入開口網（１１）の、つば内部空間（８）側は、空間仕切り壁（１２）によって大気吸引独立経路（１３）を構成する。
【００４１】  この大気吸引独立経路（１３）内で、大気吸入開口網（１１）と一体又は近接して、不織繊維濾過材、活性炭素繊維不織布、或は、目的に応じた空気濾過装置（１４）が装填され、つば部（５）外部から、容易に脱着可能な装着法で装填される。
【００４２】  つば内部空間に装備される大気吸引ファン（１５）のファン吸引口（１６）は空気濾過装置側に向けて固着され、ファン吐出口（１７）はつば内部空間（８）内に放散される。
【００４３】  大気吸引ファン（１５）の電動は、微細電力でも高速回転する事が可能な、微弱電力駆動モ−タ−を採用し、ファン形状はコンパクトな軸流ファン、或は静圧が高い遠心ブロア−を使用と同時に、軽量化をはかる為に、可能な限り、ファン本体は樹脂モ−ルド成型とした。
【００４４】  大気吸引ファン（１５）のファン吐出口（１７）から、つば内部空間（８）内に吐出された供給空気（１８）は、つば下面板（７）に開口された濾過空気放散開口部（１９）から、顔面に沿うて下部に放出され、顔前で一種のエアーカーテンを形成する。
【００４５】  額頭部からの供給空気（１８）のエアーカーテンの方向性及び風量の調整の為、濾過空気放散開口部（１９）には、放散空気調整枠（２０）が装着され、鼻の高さや顔の形状の差に応じて、供給空気（１８）の方向性や風量の調整を可能とした。
【００４６】  又、自転車乗車時、或は戸外風圧による供給空気（１８）の顔面放出乱流防止の為、つば部（５）前面に、必要度に応じて脱着可能な、透明樹脂曲面板（２１）を装着し、軟質樹脂、或は硬質樹脂によって製作し、硬質樹脂の場合には安全の為に、衝撃に弱いアクリル樹脂は極力避けて、冷温耐熱と破壊強度に強いポリカーポネート樹脂を優先した。
【００４７】  「請求項２」は、太陽光発電板（１０）の限られた面積と、自然天候による発電不能な辞退をも考慮し、つば下面板（７）に開口部を設け、各種のバッテリ−（２２）を装填し、単三乾電池クラスの軽量なもの、或は今後の技術進歩による軽量高性能電池の併用も考慮したものである。
【００４８】  「請求項３」は、別途で供給空気放散管（２３）をつば下面板（７）に装着し、圧縮空気又は液化空気の空気加圧貯留缶（２４）を併設所持して、空気加圧貯留缶（２４）と供給空気放散管（２３）とを、流量調整弁（２５）を経由して柔軟送気管（２６）で結続して使用するが、この目的は、大気吸引ファン（１５）の故障等で緊急事情が発生した時は、小型の空気加圧貯留缶（２４）で応急稼働するものであるが、使用継続時間が短い事の為に、万一の生命に危険を及ぼす有害ガス等の環境では必需品であろうが、今後、ポケッタブルで、長時間使用可能な空気加圧貯留缶（２４）が出来れば本命はこの方式になる。
【００４９】  「請求項４」は、つば下面板（７）に装着する供給空気放散管（２３）と種々品種の装着テープに加えて、太陽光発電板（１０）、空気濾過装置（１４）大気吸引ファン（１５）、バッテリ−（２２）、流量調整弁（２５）、柔軟送気管（２６）、及び、必要ある場合の圧縮空気又は液化空気の空気加圧貯留缶（２４）の全部又は最低必要不可欠器具を、空気供給ユニット（２７）として構成し、自己保有好みのデザインのサンバイザ−（２）つば付き防止（３）等に、自分で装着使用するものである。
【００５０】  この場合、空気加圧貯留缶（２４）内部圧力は高いので、柔軟送気管（２６）の管内径は細くても良いが、大気吸引ファン（１５）による吸気は、柔軟送気管（２６）の管移送抵抗値との関係で、よほどの高圧吸気ファンでない限り、内径は大きくなる。
【００５１】  「請求項５」は、工場設備には必ず設置されている空気圧縮機（２８）の圧縮空気配管から供給空気（１８）を導入するものであるが、残念ながら工業用圧縮空気は機械構造的に、如何なる機種でも、機器摩擦減摩油脂を使っている為に、煙草の製造ラインのような特殊加工用途以外の機種は、いくらオイルセパレ−タ−が装着されていても、僅かでも漏洩があり、又７ｋｇ／ｃｍの加圧による温度上昇と炭素化物も混入するおそれがあり、そのままの圧縮空気は吸引出来ないので身体的安全名処理の加圧空気の供給を条件とする。
【００５２】  上記の安全性が確保されれば、つば下面板（７）に装着する供給空気放散管（２３）と空気圧縮機（２８）の配管とを、流量調整弁（２５）経由で、柔軟な細い、軟質送気管（２６）で結合すれば、塵埃の多い作業場や有害ガス発生のハンダ付け、その他あらゆる不良環境下での作業も、軟質送気管（２６）の長さ制限下で安全な健康管理が可能である。
【００５３】  「請求項６」は、顔面への供給空気（１８）が、加湿空気（２９）又は乾燥空気（３０）の場合で、相対湿度４０％を切る環境での生活や作業で、特に暴露の顔面皮膚保護、或は常時相対湿度９０％の環境での生活や作業で、弁面汗粒による視野狭窄や注意分散による自己の防止と爽快さ付与の目的である。
【００５４】  「請求項７」は、顔面への供給空気（１８）が、こう酸素濃度空気（３１）又は低酸素濃度空気（３２）の場合で、高酸素濃度空気（３１）は、肺機能低下疾病者、酸素消費労働その他で、又低酸素濃度空気（３２）は酸素過多症の疾病に使われる。
【００５５】  「請求項８」は、顔面への供給空気（１８）が、加温空気（３３）又は冷温空気（３４）の場合で、南極基地屋外作業、高山登山、或は極地寒冷期での屋外対応で、唯一肌を暴露する顔面を、凍傷や−３０℃前後の空気呼吸による粘膜保護では風邪の予防にも成り、又、冷温空気（３３）の顔面供給では、赤道直下の極暑地域でのサンバイザ−と冷風による快適な対応が可能である。
【００５６】  「請求項９」は、供給空気（１８）を、加温空気（３３）又は冷温空気（３４）にするに当たり、固定の既存設備は別として、小型コンパクトなペルチェ素子電気回路（３５）によって加温と冷却を可能とし、つば内部空間（８）装填も出来、或は空気供給ユニット（２７）への装着も可能で、空気冷暖電気回路（３６）で温度調節も可能となる。
【００５７】  「請求項１０」は、臭気がある大気での消臭空気の供給で、各種植物エッセンスを含む各種の無害消臭剤（３７）を経由して、無臭空気或は僅かな香気をもって供給することで生活態様の好転を図る。
【図面の簡単な説明】
【００５８】
【図１】頭部顔面装身具帽子類のつば部に、太陽光発電板にバッテリ−を併設装着した清浄空気供給の断面図である。
【図２】頭部顔面装身具帽子類のつば部に、太陽光発電板にバッテリ−を併設装着した清浄空気供給の平面図である。
【図３】頭部顔面装身具帽子類のつば部に、太陽光発電板にバッテリ−を併用し、つば部先端から大気吸入の、清浄供給の断面図である。
【図４】頭部顔面装身具帽子類のつば部に、バッテリ−稼働による清浄空気供給の斜視透視図である。
【図５】頭部顔面装身具帽子類のつば部に、供給空気放散管を装着し、空気加圧貯留缶から清浄空気供給の斜視透視図である。
【図６】頭部顔面装身具帽子類を除いて、清浄空気供給に最低限必要な機器備品類を空気供給ユニットとした部類毎の斜視透視図である。
【図７】頭部顔面装身具帽子類のつば部に、供給空気放散管を装着し、既存設備の空気圧縮機送気管から清浄空気供給の上視図一部断面図である。
【図８】頭部顔面装身具帽子類の頭部に、太陽光発電板を装着し、つば部に供給空気放散管を装着し、供給空気ユニットから清浄空気供給の側面図、一部斜視透視図である。
【図９】頭部顔面装身具類のヘア−バンドに装着の、供給空気放散管から清浄空気供給の、斜視透視図である。
【符号の説明】
【００５９】１    頭部顔面装身具
２    サンバイザ−
３    つば付き帽子
４    つば付きヘルメット
５    つば部
６    つば上面板
７    つば下面板
８    つば内部空間
９    発電板間隙空間
１０  太陽光発電板
１１  大気吸入開口網
１２  空間仕切り壁
１３  大気吸引独立経路
１４  空気濾過装置
１５  大気吸引ファン
１６  ファン吸引口
１７  ファン吐出口
１８  供給空気
１９  濾過空気放散開口部
２０  放散空気調整枠
２１  透明樹脂曲面板
２２  バッテリ−
２３  供給空気放散管
２４  空気加圧貯留缶
２５  流量調整弁
２６  柔軟送気管
２７  空気供給ユニット
２８  空気圧縮機
２９  加湿空気
３０  乾燥空気
３１  高酸素濃度空気
３２  低酸素濃度空気
３３  加温空気
３４  冷却空気
３５  ペルチェ素子電気回路
３６  空気冷暖電気制御
３７  無害消臭剤
【図１】
2009061233.tif 000003
【図２】
2009061233.tif 000004
【図３】
2009061233.tif 000005
【図４】
2009061233.tif 000006
【図５】
2009061233.tif 000007
【図６】
2009061233.tif 000008
【図７】
2009061233.tif 000009
【図８】
2009061233.tif 000010
【図９】
2009061233.tif 000011